【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
スライド移動自在としたノズル本体と、
該ノズル本体を移動させる電気モータと、
前記ノズル本体をスライド移動自在に保持し、前記ノズル本体がスライド移動する直線軌道の下部に前記電気モータを取付ける本体ベースと、
該本体ベースに取付ける防水カバーとを備え、
該防水カバーは、前記電気モータの上部及び前記ノズル本体側である前方の外周を覆う周面部を有し、該周面部により使用中に局部または便器から跳ね返る水滴から前記電気モータの後方に設けられるコネクタを保護することを特徴とする人体局部洗浄装置。
【請求項２】
下面にラックを形成し、該ラックと噛み合うピニオンの回転によってスライド移動自在としたノズル本体と、
前記ピニオンを回転させる電気モータと、
前記ノズル本体をスライド移動自在に保持し、前記ノズル本体がスライド移動する直線軌道の下部に電気モータを取付ける本体ベースと、
該本体ベースに取付ける防水カバーとを備え、
該防水カバーは、前記電気モータの上部及び前記ノズル本体側である前方の外周を覆う周面部を有し、該周面部により使用中に局部または便器から跳ね返る水滴から前記電気モータの後方に設けられるコネクタを保護することを特徴とする人体局部洗浄装置。
【請求項３】
前記防水カバーは、前記ラックと噛み合うピニオンを軸支することを特徴とする請求項２に記載の人体局部洗浄装置。
【請求項４】
前記防水カバーは、前記コネクタに接続されるリード線及び／または前記ノズル本体に洗浄水を供給する流体管を保持することを特徴とする請求項１乃至請求項３の何れか1つに記載の人体局部洗浄装置。
【請求項５】
前記防水カバーは、前記電気モータを一体に接合し、前記電気モータを前記本体ベースに取付ける際に、前記防水カバーと前記本体ベースとの取付けによって行うことを特徴とする請求項１乃至請求項４の何れか１つに記載の人体局部洗浄装置。
【請求項６】
前記防水カバーは、前記電気モータを覆った下端が前記電気モータの下部よりも下に位置することを特徴とする請求項１乃至請求項５の何れか１つに記載の人体局部洗浄装置。
【手続補正２】
【補正対象書類名】明細書
【補正対象項目名】０００６
【補正方法】変更
【補正の内容】
【０００６】
本発明にかかる人体局部洗浄装置は、スライド移動自在としたノズル本体と、該ノズル本体を移動させる電気モータと、前記ノズル本体をスライド移動自在に保持し、前記ノズル本体がスライド移動する直線軌道の下部に前記電気モータを取付ける本体ベースと、該本体ベースに取付ける防水カバーとを備え、該防水カバーは、前記電気モータの上部及び前記ノズル本体側である前方の外周を覆う周面部を有し、該周面部により使用中に局部または便器から跳ね返る水滴から前記電気モータの後方に設けられるコネクタを保護する構成とした。
また、本発明にかかる人体局部洗浄装置は、下面にラックを形成し、該ラックと噛み合うピニオンの回転によってスライド移動自在としたノズル本体と、前記ピニオンを回転させる電気モータと、前記ノズル本体をスライド移動自在に保持し、前記ノズル本体がスライド移動する直線軌道の下部に前記電気モータを取付ける本体ベースと、該本体ベースに取付ける防水カバーとを備え、該防水カバーは、前記電気モータの上部及び前記ノズル本体側である前方の外周を覆う周面部を有し、該周面部により使用中に局部または便器から跳ね返る水滴から前記電気モータの後方に設けられるコネクタを保護する構成とした。
ここで、上記ノズル本体はシャワー用ノズル及び／またはビデ用ノズルとすることができる。また、上記電気モータはシャワー用ノズル及び／またはビデ用ノズルを駆動するものである。前記電気モータのリード線端子等のコネクタの取付け位置は、その周囲から取り出してもよいし、その出力軸の反対側の端面から取り出してもよい。前記電気モータの外周を覆う範囲は、前記電気モータの上部及び前面（シャッタ側が前面）の外周を覆うものであれば良い。詳しくは、前記電気モータの略１８０度以上、厳格に１８０度を意味するものではなく、原理からすれば、電気モータの中心線に対して上部及び前部で１８０度程度以上を覆う構造であればよい。しかし、電気モータの周囲との間に間隔を設けた場合には、１８０度以下の構成とすることもできるが、電気モータの中心線に対して上部及び前部で１８０度以上を覆う構造の方が緻密に防水機能を持たせることができる。
【手続補正３】
【補正対象書類名】明細書
【補正対象項目名】０００７
【補正方法】変更
【補正の内容】
【０００７】
この場合、上記した人体局部洗浄装置の前記防水カバーは、前記ラックと噛み合うピニオンを軸支するものである。ここで、前記防水カバーは、前記ラックと噛み合うピニオンを軸支することにより、部品数を少なくし、組み付けを簡単化することもできる。
【手続補正４】
【補正対象書類名】明細書
【補正対象項目名】０００８
【補正方法】変更
【補正の内容】
【０００８】
また、上記した人体局部洗浄装置の前記防水カバーは、前記コネクタに接続されるリード線及び／または前記ノズル本体に洗浄水を供給する流体管を保持するものである。ここで、リード線、流体管は、電気モータまたはノズル本体に接続されるものであるから、部品数を少なくし、組み付けを簡単化することもできる。
【手続補正５】
【補正対象書類名】明細書
【補正対象項目名】０００９
【補正方法】変更
【補正の内容】
【０００９】
また、上記した人体局部洗浄装置の前記防水カバーは、前記電気モータを一体に接合し、前記電気モータを前記本体ベースに取付ける際に、前記防水カバーと前記本体ベースとの取付けによって行うものである。ここで、電気モータと防水カバーは、一体に成形してもよいし、防水カバーに電気モータを接合してもよい。
【手続補正６】
【補正対象書類名】明細書
【補正対象項目名】００１０
【補正方法】変更
【補正の内容】
【００１０】
また、上記した人体局部洗浄装置の前記防水カバーは、前記電気モータを覆った下端が前記電気モータの下部よりも下に位置するものである。ここで、前記防水カバーの前記電気モータの一端を覆った下端とは、少なくとも、前記電気モータの最下端よりも下に位置し、他の部材に接触するものではなく、その防水カバーの下端は前記電気モータの下部よりも下に水滴を導くものであるが、その防水カバーの下端は前記電気モータの最下端よりも下に水滴を導くのが望ましいが、両者間の距離によっては、最下端に設定する必要はない。通常、電気モータの中心軸よりも下の位置であればよい。
上記構成において、前記水滴は、前記ノズル本体から発生する水滴、前記ラックまたは前記ピニオンに付着した水滴、使用中に局部または便器から跳ね返る水滴のいずれかである。
【手続補正７】
【補正対象書類名】明細書
【補正対象項目名】００１１
【補正方法】変更
【補正の内容】
【００１１】
本発明の人体局部洗浄装置によれば、ノズル本体の移動時にノズル本体の移動によって水滴を内部に運んでも（例えば、ノズル本体の下面に形成したラックが水滴をつけたまま原位置に上昇し、前記ラックと噛み合う電気モータで回転させられるピニオンが、その水滴を運んでも）、少なくとも前記電気モータには、上部及び前記ノズル本体側である前方の外周を覆う周面部を有し、該周面部により使用中に局部または便器から跳ね返る水滴から前記電気モータの後方に設けられるコネクタを保護する防水カバーが設けられており、下端は前記電気モータの出力軸位置よりも下に位置するから、前記ピニオンが水滴を防水カバーの表面側に運んでも、水滴が防水カバーの周面部の表面に沿って流れ、電気モータ側に入り込む可能性がなくなる。仮に、電気モータの出力軸に水滴が付いても、水滴が防水カバーで遮断され、電気モータの内部にまで浸透しなくなる。また、防水カバーにより、前記電気モータに電力または信号を送受するコネクタにも水が滲み込むことがない。
【手続補正８】
【補正対象書類名】明細書
【補正対象項目名】００１２
【補正方法】変更
【補正の内容】
【００１２】
この場合、本発明によれば、人体局部洗浄装置は、前記防水カバーが前記ラックと噛み合うピニオンを軸支するものであるから、請求項１の効果に加えて、部品の組みつけが容易になる。
【手続補正９】
【補正対象書類名】明細書
【補正対象項目名】００１３
【補正方法】変更
【補正の内容】
【００１３】
また、本発明によれば、人体局部洗浄装置は、前記防水カバーが前記コネクタに接続されるリード線及び／または前記ノズル本体に洗浄水を供給する流体管を保持するものであるから、請求項１または請求項２の効果に加えて、水滴の流れる方向以外にリード線及び／または流体管を設けることを回避でき、リード線及び／または流体管に水が伝うのを防止できる。
【手続補正１０】
【補正対象書類名】明細書
【補正対象項目名】００１４
【補正方法】変更
【補正の内容】
【００１４】
また、本発明によれば、人体局部洗浄装置の前記防水カバーは、前記電気モータを一体に接合し、前記電気モータを前記本体ベースに取付ける際に、前記防水カバーと前記本体ベースとの取付けによって行うものであるから、請求項１乃至請求項３の何れか１つに記載の効果に加えて、接着剤等で両者間の間隙を少なくしたり、一体成形を行ったりして、前記防水カバーと前記電気モータとの間の隙間をなくし、前記本体ベースから前記防水カバーを介して前記電気モータに進入し難くすることができる。
【手続補正１１】
【補正対象書類名】明細書
【補正対象項目名】００１５
【補正方法】変更
【補正の内容】
【００１５】
また、本発明によれば、人体局部洗浄装置の前記防水カバーは、前記電気モータを覆った下端が前記電気モータの下部よりも下に位置するものであるから、請求項１乃至請求項４の何れか１つに記載の効果に加えて、前記電気モータの下部よりも下に位置するから、水滴が流れるとき、前記防水カバーの表面から前記電気モータ側及びコネクタ側に回り込むことがない。